(57)【特許請求の範囲】
【請求項１】
外枠(A)に組付けられた前枠(B)の内側に、大型遊技装置(17)およびセーフ球排出部材(22)を配設した遊技盤(K)が着脱交換可能にセットされる一方、前記遊技盤(K)の裏面主要範囲に適した開口広さの窓口(11)および各種球処理部を設けた機構セット盤(J)が背面側にセットされたパチンコ遊技機において、
本体(31)により前記遊技盤(K)裏側および前記遊技装置(17)の被覆保護を図る裏保護部材(30)と、
前記裏保護部材(30)の外面から水平に延出形成された支持片(45)に、下方に開口するよう形成された支持孔(46)と、
前記セーフ球排出部材(22)の外面に形成された支持受片(50)から垂直上方に立設形成されて前記支持孔(46)に下方から係脱可能に係合し、セーフ球排出部材(22)に対する前記裏保護部材(30)の上下方向への着脱および水平方向への回動を許容する支持軸(51)と、
前記セーフ球排出部材(22)における前記支持受片(50)に、パチンコ遊技機の前後方向に延在するよう突出形成された案内規制片(52)と、
前記裏保護部材(30)における前記本体(31)に延出形成され、裏保護部材(30)が前記遊技盤(K)に対して所要角度に開放した状態においては前記案内規制片(52)と上下方向において交差せず、裏保護部材(30)が前記所要角度以外に開放した状態においては前記案内規制片(52)と上下方向において交差する案内片(33)とを備え、
前記裏保護部材(30)は、前記遊技盤(K)に対して前記所要角度に開放した状態においてのみ、前記セーフ球排出部材(22)に対して上下方向への着脱が許容されるよう構成した
ことを特徴とするパチンコ遊技機用の裏保護部材。
【請求項２】
外枠(A)に組付けられた前枠(B)の内側に、大型遊技装置(17)およびセーフ球排出部材(22)を配設した遊技盤(K)が着脱交換可能にセットされる一方、前記遊技盤(K)の裏面主要範囲に適した開口広さの窓口(11)および各種球処理部を設けた機構セット盤(J)が背面側にセットされたパチンコ遊技機において、
本体(31)により前記遊技盤(K)裏側および前記遊技装置(17)の被覆保護を図る裏保護部材(30)と、
前記裏保護部材(30)の外面から水平に延出形成された支持片(45)に、下方に開口するよう形成された支持孔(46)と、
前記機構セット盤(J)の前記窓口(11)の側縁部に形成された支持受片(50)から垂直上方に立設形成されて前記支持孔(46)に下方から係脱可能に係合し、機構セット盤(J)に対する前記裏保護部材(30)の上下方向への着脱および水平方向への回動を許容する支持軸(51)と、
前記機構セット盤(J)における前記支持受片(50)に、パチンコ遊技機の前後方向に延在するよう突出形成された案内規制片(52)と、
前記裏保護部材(30)における前記本体(31)に延出形成され、裏保護部材(30)が前記遊技盤(K)に対して所要角度に開放した状態においては前記案内規制片(52)と上下方向において交差せず、裏保護部材(30)が前記所要角度以外に開放した状態においては前記案内規制片(52)と上下方向において交差する案内片(33)とを備え、
前記裏保護部材(30)は、前記遊技盤(K)に対して前記所要角度に開放した状態においてのみ、前記機構セット盤(J)に対して上下方向への着脱が許容されるよう構成した
ことを特徴とするパチンコ遊技機用の裏保護部材。
【請求項３】
前記本体(31)の外面所要位置に凹状の基板設置部(40)を一体的に成形し、前記遊技装置(17)に付随する情報出力基板(26)等を収容設置するようになっている請求項１または２記載のパチンコ遊技機用の裏保護部材。
【発明の詳細な説明】
【０００１】
【発明の属する技術分野】
この発明は、パチンコ遊技機用の裏保護部材に関し、更に詳細には、遊技盤裏側および遊技装置の被覆保護を図るための裏保護部材に関するものである。
【０００２】
【従来の技術】
パチンコ機やアレンジボール機に代表されるこの種の遊技機では、ゲーム内容別に区分される何れの機種(図柄組合わせ入賞開放ゲームを展開し得る第１種パチンコ機、役物開閉ゲームを展開し得る第２種パチンコ機、権利発生ゲームを展開し得る第３種パチンコ機)にあっても、各機種に共通的に使用される基本構成部材として、外枠に開閉および着脱可能に組付けられる前枠の前後各部に、窓枠およびガラス扉、上球皿および下球皿、球送り・発射装置、各種の球処理部等を有する機構セット盤、そして電飾表示部材等が夫々組付けセットされている。そしてこのような基本構成にあって、前枠の正面内部のセット枠に、所要の遊技盤が前側または裏側から着脱交換可能にセットされている。
【０００３】
そして何れの機種にあっても夫々の遊技盤は、盤前面の遊技領域内に各種の遊技装置として、入賞具や通入具の他に、図柄ドラムや図柄ベルトまたは液晶表示部等を具備する大型の遊技装置、電動式入賞装置、スイッチ付き入賞具、遊技表示具、ランプ類等の電気的遊技器具を適宜選択配置して、所要とするゲーム内容が設定されている。また前記遊技盤の裏側には、前記入賞具や電動式入賞装置の位置に合わせた形状,サイズに成形されて該入賞具,入賞装置に入ったセーフ球を機構セット盤に配設されたセーフ球処理装置へ区分排出するためのセーフ球排出部材(一般に球集合カバーまたは球寄せカバーとも呼ばれている)が設置されている。
【０００４】
前記大型遊技装置は、前後方向に嵩張るかなり大型のサイズで、前記セット枠に遊技盤をセットした状態ではパチンコ機の後方へ突出するので、これにより前記セーフ球排出部材および機構セット盤には、該遊技装置との干渉を避けるための窓口が夫々形成されている。このため、前記大型遊技装置の背面部が遊技機の外方へ露出するのを防止するため、前記窓口の開口形状に対応した外郭形状の裏保護部材を、前記セーフ球排出部材または機構セット盤に開閉可能に配設してある。これにより例えば、当該パチンコ機の搬送中や遊技ホールの設置枠台への設置作業に際し、遊技盤の裏面に設置された前記電子制御装置等を好適に保護することができる。
【０００５】
【発明が解決しようとする課題】
ところで前記裏保護部材は、例えば該部材の一側端の上下部位に形成した支持片の係止孔に、前記セーフ球排出部材または機構セット盤における窓口の一側端の上下部位に形成した上方延出形態の支持軸を係合させることで、該裏保護部材が開閉可能に枢着される形態を採用している。すなわち、前記裏保護部材を適宜開放した姿勢において各係止孔を対応の支持軸の上方へ位置決めし、該裏保護部材を下方へ押し下げることにより、夫々の係止孔と支持軸との係合が容易になされるようになっている。しかるにこのような係合形態では、遊技盤裏面のメンテナンスや前記大型遊技装置の交換作業等に際し、適宜角度に開放した状態の裏保護部材に不意に接触して押し上げてしまった場合には、前記各係止孔と支持軸との係合が容易に解除されて、該裏保護部材がセーフ球排出部材または機構セット盤から外れてしまい、最悪の場合は落下衝撃で破損する欠点を内在していた。
【０００６】
【発明の目的】
本発明は、前述した従来の技術に内在している前記課題に鑑み、これを好適に解決するべく提案されたものであって、セーフ球排出部材または機構セット盤に対して所要角度の開放状態においてのみ着脱を許容するよう構成することで、接触等による不意の外れ防止を図ったパチンコ遊技機用の裏保護部材を提供することを目的とする。
【０００７】
【課題を解決するための手段】
前記課題を克服し、所期の目的を好適に達成するため、本発明に係るパチンコ遊技機用の裏保護部材は、
外枠に組付けられた前枠の内側に、大型遊技装置およびセーフ球排出部材を配設した遊技盤が着脱交換可能にセットされる一方、前記遊技盤の裏面主要範囲に適した開口広さの窓口および各種球処理部を設けた機構セット盤が背面側にセットされたパチンコ遊技機において、
本体により前記遊技盤裏側および前記遊技装置の被覆保護を図る裏保護部材と、
前記裏保護部材の外面から水平に延出形成された支持片に、下方に開口するよう形成された支持孔と、
前記セーフ球排出部材の外面に形成された支持受片から垂直上方に立設形成されて前記支持孔に下方から係脱可能に係合し、セーフ球排出部材に対する前記裏保護部材の上下方向への着脱および水平方向への回動を許容する支持軸と、
前記セーフ球排出部材における前記支持受片に、パチンコ遊技機の前後方向に延在するよう突出形成された案内規制片と、
前記裏保護部材における前記本体に延出形成され、裏保護部材が前記遊技盤に対して所要角度に開放した状態においては前記案内規制片と上下方向において交差せず、裏保護部材が前記所要角度以外に開放した状態においては前記案内規制片と上下方向において交差する案内片とを備え、
前記裏保護部材は、前記遊技盤に対して前記所要角度に開放した状態においてのみ、前記セーフ球排出部材に対して上下方向への着脱が許容されるよう構成したことを特徴とする。
【０００８】
前記課題を克服し、所期の目的を好適に達成するため、本願の別の発明に係るパチンコ遊技機用の裏保護部材は、
外枠に組付けられた前枠の内側に、大型遊技装置およびセーフ球排出部材を配設した遊技盤が着脱交換可能にセットされる一方、前記遊技盤の裏面主要範囲に適した開口広さの窓口および各種球処理部を設けた機構セット盤が背面側にセットされたパチンコ遊技機において、
本体により前記遊技盤裏側および前記遊技装置の被覆保護を図る裏保護部材と、
前記裏保護部材の外面から水平に延出形成された支持片に、下方に開口するよう形成された支持孔と、
前記機構セット盤の前記窓口の側縁部に形成された支持受片から垂直上方に立設形成されて前記支持孔に下方から係脱可能に係合し、機構セット盤に対する前記裏保護部材の上下方向への着脱および水平方向への回動を許容する支持軸と、
前記機構セット盤における前記支持受片に、パチンコ遊技機の前後方向に延在するよう突出形成された案内規制片と、
前記裏保護部材における前記本体に延出形成され、裏保護部材が前記遊技盤に対して所要角度に開放した状態においては前記案内規制片と上下方向において交差せず、裏保護部材が前記所要角度以外に開放した状態においては前記案内規制片と上下方向において交差する案内片とを備え、
前記裏保護部材は、前記遊技盤に対して前記所要角度に開放した状態においてのみ、前記機構セット盤に対して上下方向への着脱が許容されるよう構成したことを特徴とする。
【０００９】
【作用】
裏保護部材は、該裏保護部材に形成された支持孔と、遊技盤裏側に配設されるセーフ球排出部材または遊技機背面に配設される機構セット盤に形成された支持軸とにより、上下方向への着脱および水平方向への開閉が可能に連結支持される。そして、裏保護部材を遊技盤の裏側に対して所要角度(例えば９０度)に開放した状態においては、セーフ球排出部材または機構セット盤側に設けた案内規制片と、裏保護部材側に設けた案内片とが上下方向において交差しないので、該裏保護部材の着脱が許容される。しかし裏保護部材を、前記所要角度以外の角度に開放した状態においては、前記案内規制片と案内片とが上下方向において交差するので、該裏保護部材の着脱は規制される。
【００１０】
【発明の実施の形態】
次に、本発明に係るパチンコ遊技機用の裏保護部材につき、好適な実施例を挙げて添付図面を参照しながら、以下詳細に説明する。なお本実施例では、所要のゲームを設定した遊技盤が、前枠の前側から正面内部に着脱交換可能にセットされる型式のパチンコ機について例示する。
【００１１】
(パチンコ機)
そこで先ず、図１および図２に全体が略示されたパチンコ機の基本構成について要約説明する。本実施例のパチンコ機Ｐは、外枠Ａの開口前面側に対して前枠Ｂが、連結支持手段および施錠手段を利用して着脱および開放可能に組付けられている。そして各機種に共用される遊技構成部材として、前枠Ｂの前側には、横開き式のガラス扉Ｄを組付けた窓枠Ｃ、このガラス扉Ｄの下部に開放可能に取着した開閉板の前側にセットした上球皿Ｅおよび裏側にセットされた電動式の球送り装置Ｇ、下段に位置する下球皿Ｆおよび打球発射装置Ｈ等が夫々設置されていると共に、該前枠Ｂの裏側には、アウト球,セーフ球および賞球の各処理部や各種電気部品および制御基板等を備えた機構セット盤Ｊが着脱可能にセットされている。なお、この機構セット盤Ｊの略中央部には、後述する遊技盤Ｋにおける遊技領域１３の裏面に適合する開口広さの窓口１１が画成されている。
【００１２】
(遊技盤)
そして、前記前枠Ｂの裏側におけるセット収容枠１０の正面内部に対して、遊技盤Ｋが、前記ガラス扉Ｄおよび上球皿Ｅを開放したもとで、着脱交換可能にセットされる。ちなみにこの遊技盤Ｋについては、「第１種パチンコ機」に係るタイプのものを例とし、案内レール１２内の遊技領域１３において、遊技装置として普通入賞具１４や球案内車(「風車」ともいう)１５の他に、スイッチ付きの始動入賞具１６、液晶表示部を備えた大型の図柄表示装置(遊技装置)１７、電動式の大型入賞装置１８、ランプ付き入賞具１９、ランプ表示具２０等の電気的遊技器具が夫々配設され、当該遊技盤固有のゲーム内容が設定されている。また遊技盤Ｋの裏面には、前記図柄表示装置１７裏側の本体部１７Ａを除く周囲を囲繞する所要形状に合成樹脂成形されたセーフ球排出部材２２が取着され、前記各入賞具１４,１６,１８,１９に入ったセーフ球を前記機構セット盤Ｊに配設したセーフ球処理装置へ排出案内するようになっている。なお実施例では、セーフ球の通出案内を図る左樋部２３の背面に、遊技盤Ｋに取着された前記各電気的遊技機器に係る中継基板２５を設置したセーフ球排出部材を示す(図４参照)。
【００１３】
(裏保護部材)
このようなパチンコ機Ｐにあって、前記セーフ球排出部材２２の背面側には、全ての機種の共用部材とされた裏保護部材３０が着脱および開閉可能に装着されており、前記遊技盤Ｋの裏側および前記図柄表示装置１７の被覆保護と、前記機構セット盤Ｊに画成した窓口１１からのパチンコ球の侵入阻止を図るようになっている。すなわちこの裏保護部材３０は、図３に示すように、背面部３１ａおよび上面部３１ｂ,左側面部３１ｃ,右側面部３１ｄ,下面部３１ｅからなる略正方形の台形バケット状の本体３１を主体とし、この本体３１は前記セーフ球排出部材２２を略全面的に被覆し得る開口サイズに設定されると共に、遊技盤Ｋ裏面から後方へ突出した前記図柄表示装置１７の本体部１７Ａを完全に収容し得る奥行き(深さ)寸法に設定されている。また、上面部３１ｂ,左側面部３１ｃ,右側面部３１ｄ,下面部３１ｅには適宜の勾配が付与されており、これにより本体３１は遊技盤Ｋの裏面に向かって拡開する形状を呈して、特に上面部３１ｂへ落下したパチンコ球の停留を防止するようになっている。
【００１４】
そして前記背面部３１ａにおいては、前記図柄表示装置１７における本体部１７Ａの背面側に対応した位置に、上下所要間隔毎に形成される複数の横長スリット３７からなる放熱口３６が設けられ、前記図柄表示装置１７等から発生する熱を、裏保護部材３０の収納部３８内から機外へ通出案内し得るようになっている。また前記下面部３１ｅでは、該下面部３１ｅの中央において前端側に開口した挿通口３９が形成してあり、前記各遊技装置や図柄表示装置１７等に接続される各配線の配線処理の利便を図ると共に、前記図柄表示装置１７の本体部１７Ａの冷却に供される外部冷気を前記収納部３８内へ導入し得るよう構成してある。
【００１５】
(基板設置部)
また、前記背面部３１ａにおける左下隅各部の近傍には、図３〜図６に示すように、後外方へ開口すると共に前記収納部３８内へ突出した基板設置部４０が、該背面部３１ａに一体成形されている。この基板設置部４０は、例えば大当り情報や始動入賞具１６への入賞数等の遊技情報信号を集約して出力する情報出力基板２６を取付けるために供され、背面部３１ａの外面に凹設されていることにより、設置された情報出力基板２６が背面部３１ａの外面から突出しないようになっている。なお、基板設置部４０の下部隅角部には、情報出力基板２６の下縁部を挿入係止するためのスリット４１が設けられると共に、上部隅角部近傍にはビス４９をねじ込むためのボス４２が形成されており、該情報出力基板２６は簡単なビス締め作業で取着されるよう構成される。
【００１６】
(裏保護部材の着脱・開閉技術)
次に、前述のように構成された本実施例の裏保護部材３０の着脱・開閉技術につき説明する。本実施例の裏保護部材３０では、図３および図４に示すように、前記セーフ球排出部材２２の背面に対して着脱および開閉可能に装着する形態であって、連結支持手段として左側面部３１ｃの外側上下から水平に延出形成された各支持片４５に開口形成された支持孔４６と、セーフ球排出部材２２における左樋部２３の外面上下部位に形成された各支持受片５０から垂直上方へ立設形成された支持軸５１を利用して、上下方向への着脱と左右方向への回動(横開き)が可能に連結支持される。また係脱手段として、前記右側面部３１ｄの端縁部から右外方へ延出した庇部３２の上下に配設された出没式の係止具(ピン状の留め具)５５と、セーフ球排出部材２２における右樋部２４の外面上下部位に成形された係止筒部５６とを利用して、係脱(施錠および解錠)可能に係止されるようになっている。
【００１７】
(裏保護部材の着脱規制構造)
更に本実施例の裏保護部材３０では、前記支持片４５における支持孔４６と支持軸５１との係合・分離によるセーフ球排出部材２２に対する裏保護部材３０の着脱が、該裏保護部材３０を所要角度(実施例では９０度)に開放した状態でのみ許容され、これ以外の開放角度(９０度より小さな開放角度および９０度より大きな開放角度)においては、裏保護部材３０の着脱が規制されるように構成されている。これは、前記セーフ球排出部材２２における各支持受片５０の裏面においてパチンコ機Ｐの前後方向へ延在した状態に突出形成される案内規制片５２と、前記裏保護部材３０における左側面部３１ｃの端縁部から左外方へ延出形成される庇部(案内片)３３との相互作用によりなされるものである。なお前記各支持片４５の先端部には、支持孔４６を囲繞するボス４７が上下に突出形成されており、このボス４７の下側突出部には、裏保護部材３０の側方へ開口した案内溝４８が形成してある。
【００１８】
前述した着脱規制構造を図９を基に詳細に説明すると、セーフ球排出部材２２に対する裏保護部材３０の連結に際しては、図９(ａ)に示すように、裏保護部材３０を９０度の開放状態でセーフ球排出部材２２に近接させて、前記支持受片５０および支持軸５１を支持片４５と庇部３３との間の空間部４４に相対的に到来させると、図９(ｂ)に示すように、該支持軸５１の先端部が前記案内溝４８を介して支持孔４６に整合すると共に、前記案内規制片５２に庇部３３が当接するようになる。このとき、案内規制片５２と庇部３３とは、同一方向へ略平行に延在した状態となっている。そして、上下の各支持孔４６と支持軸５１とが夫々この状態となったところで、セーフ球排出部材２２に対して裏保護部材３０を下方へ押し下げると、図９(ｃ)に示すように、案内規制片５２に沿って庇部３３が下方へスライドすると共に、支持孔４６へ支持軸５１が挿入されて両者４６,５１が係合されるに至る(図６,図８)。
【００１９】
そして、裏保護部材３０をセーフ球排出部材２２側へ閉成すると、図５,図７および図９(ｄ)に示すように、前記案内規制片５２に対して前記庇部３３が徐々に交差してやがて直交する方向へ延在するようになる。このとき裏保護部材３０を上方へスライドさせようとすると、前記庇部３３における前記空間部４４に臨んだ上端面３３ａが前記案内規制片５２の下端面５２ａに当接干渉して該裏保護部材３０の上動が規制されるようになっている。すなわち、本実施例の裏保護部材３０は、前記案内規制片５２と庇部３３とが互いに平行でない状態、すなわちセーフ球排出部材２２にする開放角度が９０度以外の場合には、該裏保護部材３０を上方へ押上げたとしても外れないよう構成されている。
【００２０】
(パチンコ球の侵入防止)
また本実施例の裏保護部材３０は、図２および図３に示すと共に前述したように、右側面部３１ｄの端縁部に前記庇部３２が形成され、左側面部３１ｃの端縁部に前記庇部３３が形成されていると共に、更に上面部３１ｂの端縁部にも庇部３４が形成されている。従って裏保護部材３０における本体３１の外郭形状は、前記機構セット盤Ｊの窓口１１の開口形状に沿った形状となっており、しかも両者３０,１１の間に画成される隙間５８は、どの部分においてもパチンコ球の直径(約１１ｍｍ)よりも適宜小さく設定されている。従って裏保護部材３０が、機構セット盤Ｊの窓口１１内でセーフ球排出部材２２に係着されて閉成した状態では、該窓口１１を介して遊技盤Ｋの裏側へパチンコ球が侵入することが好適に阻止され、該パチンコ球が遊技盤Ｋ裏側に設置された電子部品や基板等に接触することによる該電子部品の破損やショート等のトラブルを好適に防止し得る。
【００２１】
【本実施例の作用】
次に、前述のように構成された本実施例に係るパチンコ遊技機用の裏保護部材の作用につき説明する。前述のように構成された本実施例のパチンコ機において、セーフ球排出部材２２に組付けられる裏保護部材３０は、同セーフ球排出部材２２とは別加工工程で成形され、前枠Ｂの各部に設置される他の共通遊技構成部材と同様に、全ての機種に対して好適に実施し得る共用部材とされる。
【００２２】
そして前記裏保護部材３０は、当該パチンコ機Ｐの製造工程において、▲１▼遊技盤Ｋに対するセーフ球排出部材２２の組付けセット後に次工程で該セーフ球排出部材２２に組付ける、▲２▼セーフ球排出部材２２に組付けた後に該セーフ球排出部材２２と共に遊技盤Ｋに組付ける、▲３▼セーフ球排出部材２２および機構セット盤Ｊを組付けた後に該セット盤Ｊの窓口１１を介して該セーフ球排出部材２２に組付ける、等の組付け形態が適宜採用される。すなわち、裏保護部材３０の組付け工程順位および態様が何等制限されないので、パチンコ機Ｐの製造工程の合理化を企図して生産性の向上を図ることができる。なお裏保護部材３０は、ゲームホール搬入後のパチンコ機に対しても、簡単に組付けることができる。
【００２３】
そして本実施例の裏保護部材３０は、前述した何れの組付け形態においても、セーフ球排出部材２２(遊技盤Ｋ)に対して９０度の開放状態に姿勢保持した下で、該セーフ球排出部材２２に容易に組付けられる。すなわち、セーフ球排出部材２２側の各支持軸５１に裏保護部材３０側の各支持孔４６を整合させると共に案内規制片５２に庇部３３を平行に当接させた後、この状態で裏保護部材３０を下方へスライドさせることで、各支持軸５１と支持孔４６とが係合状態となる。そして、裏保護部材３０を遊技盤Ｋの裏面に閉成して各係止具５５を対応の係止筒部５６に係止することにより、該裏保護部材３０は、各支持軸５１と支持孔４６との係合作用および各係止具５５と係止筒部５６との係合作用下に、セーフ球排出部材２２を被覆した状態で遊技盤Ｋの裏面に取着される。
【００２４】
また、前記背面部３１ａに形成された基板設置部４０に、例えば情報出力基板２６を組付ける。すなわち、情報出力基板２６の基板下端部をスリット４１に係止させた後、ビス４９をボス４２にねじ込むことにより、当該情報出力基板２６は簡単かつ容易に組付けられる。なお、基板設置部４０に組付けセットされた情報出力基板２６は、背面部３１ａから外方へ突出しないので、裏保護部材３０を取着した当該パチンコ機Ｐの搬送中に他のパチンコ機と接触したとしても、該情報出力基板２６が損傷することはない。また、上方から落下してくる遊技球からも、情報出力基板２６を保護し得る。
【００２５】
このように、本実施例の裏保護部材３０を組付けたパチンコ機Ｐが実際の遊技に供される場合において、前記図柄表示装置１７の本体部１７Ａ等から発生する熱は、前記放熱口３６の各横長スリット３７から機外へ排出されると共に、機構セット盤Ｊの窓口１１と各庇部３２,３３,３４との隙間５８からも機外へ排出される。また、前記隙間５８の間隔がパチンコ球の直径よりも小さく設定されているので、ゲームホールにおける遊技の実施時において、当該パチンコ機Ｐの上方に配設される球供給ユニットや球タンク等から零れて落下したパチンコ球が遊技盤Ｋの裏面側に侵入することがなく、遊技盤Ｋ裏側の電子部品や基板等の破損やショート等のトラブルが好適に防止される。
【００２６】
また、前記セーフ球排出部材２２に配設した電子部品や前記図柄表示装置１７のメンテナンスや該図柄表示装置１７の交換作業等は、前記各係止具５５と係止筒部５６との係止を解除した下で、裏保護部材３０を遊技盤Ｋの裏面から開放して行なう。この際に裏保護部材３０が、遊技盤Ｋに対して９０度よりも適宜小さい開放角度または適宜大きい開放角度に開放したもとで、作業者が不意に該裏保護部材３０の下方に接触したとしても、案内規制片５２と庇部３３との干渉作用下に支持軸５１と支持孔４６との係合が解除されないので、裏保護部材３０がセーフ球排出部材２２から不意に外れて脱落することはない。
【００２７】
なお、裏保護部材３０を取外す場合は、遊技盤Ｋの裏面に対して９０度の開放状態に保持したもとで上方へ引き上げれば、案内規制片５２と庇部３３とが互いに平行になって干渉しないので、支持軸５１と支持孔４６との係合が簡単に解除されて裏保護部材３０がセーフ球排出部材２２から外れる。
【００２８】
また裏保護部材３０の本体３１は、背面部３１ａ,上面部３１ｂ,左側面部３１ｃ,右側面部３１ｄ,下面部３１ｅを含めて勾配面を有する台形状に成形されていることから、複数の裏保護部材３０を互いに嵌合い状態にして嵩張らずに積み重ねることができる。このため、多数個の裏保護部材３０の保管や搬送時においては、可能な限り小さい実体サイズ、梱包状態に纏めて好適に取扱うことができ、特に機種変更に伴いゲームホール内に搬入する際には楽になる。
【００２９】
なお前記実施例では、セーフ球排出部材２２の左樋部２３の端部上下に支持軸５１を形成すると共に右樋部２４の端部上下に係止筒部５６を成形し、該セーフ球排出部材２２に対して裏保護部材３０を着脱および開閉可能に取着する場合を例示した。しかるに、前記遊技盤Ｋの裏面および図柄表示装置１７の本体部１７Ａを保護する目的を達成することを前提とすれば、機構セット盤Ｊの窓口１１における左側縁部に支持軸５１を形成すると共に右側縁部に係止筒部５６を形成し、この機構セット盤Ｊに対して裏保護部材３０を着脱および開閉可能に取着するようにしてもよい。
【００３０】
また前記実施例では、遊技盤Ｋ(セーフ球排出部材２２)に対して９０度の開放角度に保持することにより、裏保護部材３０を着脱できる構成を例示したが、この設定角度はこれに限定されるものではない。すなわち、前記案内規制片５２の延在角度または庇部３３の延出角度を変更することで、これら案内規制片５２と庇部３３とが互いに平行となる開放角度の設定変更が可能であるから、例えば９０度より大きな最大開放角度(例えば１５０度程度)において裏保護部材３０を着脱する構成としたり、または９０度より小さな適宜開放角度(例えば４５度程度)において裏保護部材３０を着脱する構成とすることができる。
【００３１】
【発明の効果】
以上説明した如く、本発明に係るパチンコ遊技機用の裏保護部材によれば、遊技盤裏側および遊技装置の被覆保護を図る裏保護部材は、遊技盤裏側に配設されるセーフ球排出部材または遊技機背面に配設される機構セット盤に対し、裏保護部材に形成した支持孔およびセーフ球排出部材または機構セット盤に形成した支持軸を利用して、上下方向への着脱および水平方向への開閉が可能に連結支持される。そして、裏保護部材を遊技盤の裏側に対して所要角度に開放した状態においてのみ、セーフ球排出部材または機構セット盤に対する裏保護部材の着脱を許容するよう構成した。すなわち、裏保護部材を所要角度に開放した状態においては、セーフ球排出部材または機構セット盤側に設けた案内規制片と該裏保護部材の本体に設けた案内片とが上下方向において交差しないので、裏保護部材の組付けおよび取外しが可能となる。しかし、裏保護部材を前記所要角度以外の角度に開放した状態においては、前記案内規制片と案内片とが上下方向において交差するので裏保護部材の着脱が好適に規制され、これにより不意の接触等により該裏保護部材が外れて落下破損することが好適に防止される。なお、裏保護部材における本体の所要位置に基板設置部を設けることにより、機構セット盤の設置部に対して電気部品や基板等を余裕を持って取着し得る。
【図面の簡単な説明】
【図１】本発明の実施例に係るパチンコ機の概略正面図である。
【図２】図１に示すパチンコ機の背面図である。
【図３】図１に示す遊技盤の背面図であって、本実施例の裏保護部材を装着した状態を示している。
【図４】図３のIV−IV線断面図である。
【図５】セーフ球排出部材に対する裏保護部材の閉成状態を示す要部拡大背面図である。
【図６】セーフ球排出部材に対する裏保護部材の９０度の開放状態を一部破断して示す要部拡大背面図である。
【図７】図５のVII−VII線断面図である。
【図８】図６のVIII−VIII線断面図である。
【図９】本実施例における裏保護部材側の支持孔とセーフ球排出部材側の支持軸との係止状態を経時的に示す要部拡大斜視図であって、(ａ)は裏保護部材のセット前状態、(ｂ)は裏保護部材の位置決め状態、(ｃ)は裏保護部材のセット完了状態、(ｄ)は裏保護部材の閉成係止状態を示している。
【符号の説明】
１１  窓口
１７  図柄表示装置(遊技装置)
２２  セーフ球排出部材
２６  情報出力基板
３０  裏保護部材
３１  本体
３３  庇部(案内片)
４０  基板設置部
４５  支持片
４６  支持孔
５０  支持受片
５１  支持軸
５２  案内規制片
Ａ  外枠
Ｂ  前枠
Ｊ  機構セット盤
Ｋ  遊技盤
【図１】
0004150872.tif 000002
【図２】
0004150872.tif 000003
【図３】
0004150872.tif 000004
【図４】
0004150872.tif 000005
【図５】
0004150872.tif 000006
【図６】
0004150872.tif 000007
【図７】
0004150872.tif 000008
【図８】
0004150872.tif 000009
【図９】
0004150872.tif 000010